(57)【要約】【課題】履物側面の甲被表面にワッペン等の装飾片を適宜着脱自在に楽しむことのできる深靴タイプの履物に関するものである。【解決手段】甲被表面はループ状のパイル地等で形成するとともに、甲被を先片、踵紐片、内腰片及び外腰片に分割して、履物側面の甲被表面ができるだけ平面状態になるように深靴タイプの履物を形成した。よって、数個の着脱自在なワッペン等の装飾片が、履物側面の履口幅より若干幅が狭い大きな形状でも、履物側面の甲被表面に係着容易であり、履物着用中でも外れにくく、履物の甲被の形が歪まずに、履物の着脱及び履き心地が悪くならない。【選択図】　　　図１
2004066789.tif 000002
【特許請求の範囲】
【請求項１】
甲被表面はループ状のパイル地等の係着性を有するシート材で形成するとともに、前記甲被表面に適宜係着させることのできるように、裏面に面ファスナーの雄片からなる係止具を装着した装飾片が、着脱自在に数個／足組み合わされてなる履物において、履物側面の甲被表面ができるだけ平面状になるように、前記甲被表面を先片、踵紐片、内腰片及び外腰片に分割し形成して、前記装飾片が前記履物側面の甲被表面に平面状に係着可能にしたことを特徴とする深靴タイプの履物。
【請求項２】
前記装飾片は、前記履物側面の甲被表面の上端部分である履口幅より若干幅が狭く、見栄えの良いある程度の大きさの形状であることを特徴とする請求項１に記載の深靴タイプの履物。
【請求項３】
前記装飾片を数個入れるための袋が１個／足添付された請求項１又は請求項２記載の深靴タイプの履物であって、前記袋の表面をループ状のパイル地等の係着性を有するシート材で形成し、前記袋の上端裏面に面ファスナーを装着して、袋を開閉及び係止可能にし、且つ前記袋の上端片方の位置に鳩目穴により着脱可能な鎖等を装着したことを特徴とする深靴タイプの履物。
【発明の詳細な説明】
【０００１】
【発明の属する技術分野】
本発明は、履物側面の甲被表面にワッペン等の装飾片を適宜着脱自在に楽しむことのできる深靴タイプの履物に関するものである。
【０００２】
【従来の技術】
甲被表面はループ状のパイル地等の係着性を有するシート材で形成して、前記甲被表面に適宜係着させることのできるように、裏面に面ファスナーの雄片からなる係止具を装着した装飾片を着脱自在に貼り付けた履物は、数多く提案されている。
例えば実開昭４９−２５６４９号には、甲被表面はループ状のパイル地で形成するとともに、甲被の正面である甲の上部に着脱自在の大きなワッペン等の装飾片を貼り付けている履物が提案され、特開２００１−３５３００８には、甲被は係着性を有するシート材で形成し、前記係着性を有するシート材の表面に適宜係着させることのできる装飾片であって、所望の意匠が施された表面部分の裏側に、面ファスナーの雄片からなる係止具を一体に設けたことを特徴とし、甲被の爪先部分、甲部分又は踵部分の位置に小さな装飾片を着脱自在に貼り付けている履物が提案されている。
【０００３】
【発明が解決しようとする課題】
上記ワッペン等の装飾片を着脱自在に楽しむことできる履物は、甲被のどの部分でも装飾片を着脱自在に楽しむことができるが、履物の甲被は、立体的で丸みがあり平面状でないので、小さな装飾片では問題ないが、見栄えの良いある程度の大きさの装飾片は、平面状であるワッペン等の装飾片が部分的にしか甲被に係着されずに履物着用中に外れやすかった。ワッペン等の装飾片が平面状になる理由は、前記装飾片の裏面に貼り付けた面ファスナーの雄片からなる係止具が面ファスナーの雌片及び甲被より一般的に硬く、平面状態になり易い。見栄えが良いようにワッペン等の装飾片を複雑な意匠にしたり、刺繍等にするとさらに硬くなり平面状態になり易い。特に甲被の甲部分及び踵部分は丸みがひどく、見栄えの良い場所であるが係着困難であった。
さらに、外れないようにしっかり装飾片を押さえて立体的な丸みのある甲被に係着すると、係着した部分のみが丸み状態から平面状態になり、履物の甲被の形が歪んで、履物の着脱がし難く、足当りが発生し、履き心地が悪くなる。以上のような問題点があった。
【０００４】
【課題を解決するための手段】
上記課題を解決するため、本発明は次のような構成を採用した。すなわち、本発明にかかる履物は、甲被表面はループ状のパイル地等の係着性を有するシート材で形成するとともに、前記甲被表面に適宜係着させることのできるように、裏面に面ファスナーの雄片からなる係止具を装着した装飾片が、着脱自在に数個／足組み合わせてなる履物において、履物側面の甲被表面ができるだけ平面状になるように、前記甲被表面を先片、踵紐片、内腰片及び外腰片に分割し形成して、前記装飾片が前記履物側面の甲被表面に平面状に係着可能にした深靴タイプの履物を特徴としている。
【０００５】
短靴タイプの履物では、甲被を先片、踵紐片、内腰片及び外腰片に分割して形成しても、履物側面の甲被表面が平面状でなく、丸み形状になりやすく好ましくない。さらに短靴タイプの履物では、深靴タイプの履物より履物側面の甲被表面の面積が狭い為、装飾片が係着し難い。
深靴タイプの履物において、甲被表面を少なくとも内腰片及び外腰片に分割すると、先片との相乗効果で甲被表面が若干丸みのある角を持つ立方体形状に形成され、履物側面の甲被表面である内腰片及び外腰片が、ほとんど平面状になった。
【０００６】
前記装飾片は、前記履物側面の甲被の上端部分である履口幅より若干幅が狭く、見栄えの良いある程度の大きさの形状であることを特徴としている。
見栄えの良いある程度の大きさの装飾片は、履物側面の甲被表面ができるだけ平面状でないと係着し難い。
【０００７】
前記装飾片を数個入れるための袋が、前記履物に１個／足添付されているとともに、前記袋の表面はループ状のパイル地等の係着性を有するシート材で形成し、前記袋の上端裏面に面ファスナーを装着して、袋を開閉及び係止可能にし、且つ前記袋の上端片方の位置に鳩目穴により着脱可能な鎖等が装着されていることを特徴としている。
添付されている袋の表面はループ状のパイル地等の係着性を有するシート材で形成しているので、付属する装飾片を袋の表面に係着して、袋を小物入れ又は小銭入れ等として、ズボンのベルト通し紐、カバンやハンドバックに鎖等により吊り下げて使用することも可能である。すると、色々な着用物品に添付されている袋を吊り下げて、履物着用と一緒にトータルデザインとして自己主張可能である。
【０００８】
この履物は、甲被表面はループ状のパイル地等の係着性を有するシート材で形成しているので、面ファスナーの雄片からなる係止具を装着したワッペン、マーク等の装飾片を自在に貼り付けることができる。
この装飾片は、色々な大きさ及びデザインの装飾片が数個付属しており、履物自体に接着剤で接着したり縫い付けたりしていないので、適宜取り外して別のものを貼り付けることができる。このため、一般の靴のデザインと異なり、自由にデザインができるので、自分の履物である自己主張が可能になる。
【０００９】
【発明の実施の形態】
以下、本発明の好ましい実施形態について具体的に説明する。
図１は本発明である装飾片を１個装着した履物の側面図、図２は本発明である甲被を形成する前の甲被分割図、図３は本発明である装飾片を入れるための袋（２個の装飾片を袋表面に係着している）の正面図である。
【００１０】
本発明の履物１は、甲被の表面をループ状のパイル地等の係着性を有するシート材で形成している。上記甲被に使用する係着性を有するシート材としては、ループ状のパイル地で形成されたナイロン製織布、トリコット地に起毛したループパイル層を有するポリアミド製織布、又は面ファスナーの雌片であるパイル地やループ地やその他のものが適用できる。肌触り性や風合いが良好であれば甲被として適用できる。
【００１１】
履物側面の甲被表面３ができるだけ平面状になるように、図２のように甲被を先片６、踵紐片７、内腰片８及び外腰片８に分割し、縫製して甲被を形成し、ゴム底及び廻しテープ２を貼り付けて図１のような深靴タイプの履物１とした。　少なくとも履物側面の甲被表面３である内腰片８及び外腰片８は、ループ状のパイル地等の係着性を有するシート材を使用する。甲被の裏側は、補強及び履き心地を向上させる目的の為に、裏布を袋状態又は貼り合わせ状態として重ね合わした構造とする方が好ましい。
【００１２】
図１より、この履物１の履物側面の甲被表面３には、ワッペン等の装飾片５が係着される。装飾片５は、履物側面の甲被の上端部分である履口幅４より若干幅が狭い四角形状であり、少なくとも１個／足以上付属している。見栄えの良いある程度の大きさの装飾片５でも、履物側面の甲被表面３に平面状に係着可能である。
この装飾片５は、布、合成樹脂、皮革等で作られるもので、表面に刺繍等の色々なデザインが施され、裏面側には履物側面の甲被表面３に係着可能な面ファスナーの雄片からなる係止具が装着されている。面ファスナーの雄片からなる係止具は、装飾片５全面又は一部分の面積で、装飾片５に貼り合わせ又は縫着される。
装飾片５の形状は、円形、楕円形、正方形、長方形、三角形、多角形に限らず、動物、花、パズル状のもの、数字、イニシャル文字等の任意の形状とすることができる。また、色彩、デザイン等も好みのものとすることができる。
装飾片５は、好みのものを貼り付けることができるもので、飽きれば別のものと交換することも自在である。
【００１３】
図３より、装飾片５を数個入れるための袋９が履物１に１個／足添付されている。袋９の表面は、ループ状のパイル地等の係着性を有するシート材で形成されている。袋９の上端裏面に面ファスナーの雄雌片からなる係止具を縫着して、袋９を開閉及び係止可能にした。色々な着用物品に吊り下げて装着できるように、袋９には小さな鳩目穴を通して着脱可能な鎖１０が取り付けられている。袋９には小さな鳩目穴を通して、金属又は合成樹脂製の鎖、チェーン、紐等が着脱可能な状態で取り付けられている。
履物側面の甲被表面３は、ループ状のパイル地等の係着性を有するシート材で形成しており、深靴タイプの履物で履物側面の甲被表面３の面積が広いので、付属する数個の装飾片５を袋に入れずに、履物側面の甲被表面３に係着することで、店頭にて消費者が一見して数個の装飾片５のデザインが判別できる為、販売促進効果になる。
【００１４】
【発明の効果】
甲被表面はループ状のパイル地等で形成するとともに、甲被を先片、踵紐片、内腰片及び外腰片に分割して深靴タイプの履物を形成し、履物側面の甲被表面ができるだけ平面状態になるように形成した。よって、見栄えの良いある程度の大きさの装飾片でも、着脱自在に履物の甲被表面に係着容易であり、履物着用中でも外れにくく、履物の甲被の形が歪まずに、履物の着脱及び履き心地が悪くならない。装飾片をある程度大きくしたり、複雑なデザインにしたり、刺繍等にする場合、さらに硬く平面状態になるが、履物の甲被表面に係着しても、履物の甲被の形が歪まずに、履物の着脱及び履き心地が悪くならない。
【図面の簡単な説明】
【図１】本発明である装飾片を１個装着した履物の側面図である。
【図２】本発明である甲被を形成する前の甲被分割図である。
【図３】本発明である装飾片を入れるための袋（２個の装飾片を袋表面に係着している）の正面図である。
【符号の説明】
１　　履物
２　　廻しテープ
３　履物側面の甲被表面
４　　履物側面の甲被の上端部分である履口幅
５　　装飾片
６　先片
７　踵紐片
８　内腰片及び外腰片
９　袋
１０　鎖
【図１】
2004066789.tif 000003
【図２】
2004066789.tif 000004
【図３】
2004066789.tif 000005